(57)【要約】【課題】引戸を備える間仕切構造において、施工誤差や撓みなどの経年変化が生じても、長期間にわたり安定した引戸の摺動性と、余剰の隙間のない納まりを実現することを可能とする新規な構造を提案する。【解決手段】室内の天面を構成する部材（スペーサー材１０）に対して固定される第一枠体６０と、前記第一枠体６０に対して上下方向の固定位置を調整可能に取付けられる第二枠体７０とを具備し、第二枠体７０に対して、引戸１の被ガイド部１１が案内される構成とする。【選択図】図３
2009221675.tif 000002
【特許請求の範囲】
【請求項１】
室内の天面を構成する部材に対して固定される第一枠体と、
前記第一枠体に対して上下方向の固定位置を調整可能に取付けられる第二枠体と、
を具備し、
前記第二枠体に対して、引戸の被ガイド部が案内される構成とする、
引戸用の上レール。
【請求項２】
前記第二枠体を前記第一枠体に固定するための複数の固着具の各操作箇所は、
前記引戸用の上レールの見込方向において同一の側に配置される、
ことを特徴とする請求項１に記載の引戸用の上レール。
【請求項３】
前記複数の固着具は、前記引戸用の上レールの長手方向において略同一の位置に配置される、
ことを特徴とする請求項１又は請求項２に記載の引戸用の上レール。
【請求項４】
前記第一枠体には、
前記第二枠体を前記第一枠体に固定するための固着具を外部から隠すための遮蔽部材が設けられる、
ことを特徴とする請求項１乃至請求項３のいずれか一項に記載の引戸用の上レール。
【請求項５】
前記固着具による固定を緩めた状態で、
前記第二枠体が前記固着具を介して前記第一枠体に吊設される構成とする、
ことを特徴とする請求項１乃至請求項４のいずれか一項に記載の引戸用の上レール。
【請求項６】
請求項１乃至請求項５のいずれか一項に記載の引戸用の上レールと、
前記引戸用の上レールによって案内される引戸を有する、間仕切構造。
【発明の詳細な説明】
【技術分野】
【０００１】
本発明は、室内空間を間仕切るための引戸に関し、より詳しくは、スライドする引戸の上部を案内するための上レールの構造に関する。
【背景技術】
【０００２】
従来、室内空間を引戸により区画する間仕切構造が周知となっており、この間仕切構造について開示する文献も存在する（例えば、特許文献１参照。）。
【０００３】
この特許文献１に開示されるように、一般的な間仕切構造においては、天井面に長尺の上レールが設置され、この上レール内において引戸の上部を案内することにより、引戸を横方向にスライドさせる構成としている。
【０００４】
この上レールは、引戸の上部に設けた被ガイド部が挿入されるように、下方が開放された断面視略コ字状に構成されるものであり、この上レールの上面がビス等の固着具によって天井面に対して固定されるようになっている。なお、特許文献１に開示されるものは、天井に下方が開口する凹部が設けられ、この凹部内に上レールが収容される構成となっている。
【特許文献１】特開２００２−２８５６６４号公報
【発明の開示】
【発明が解決しようとする課題】
【０００５】
間仕切構造の施工後において、年月が経つことにより天井が垂れ下がることが生じると、これに伴って上レールも施工時と比較して下方にずらされることになる。特に、上レールが設置される天井の部位については、上レールの荷重がかかることや、引戸から受ける荷重が上レールを介して伝達される観点から、垂れ下がりなどの変化が大きい部位となる。
【０００６】
従って、図７に示すごとく、施工時において、直線状の天井面１００に対して上レール１０１を設置した場合であっても、経年変化によって引戸１０２・１０３のスライド方向の中央部における部位が垂れ下がった天井面１０４が形成され、これに伴って、上レール１０１の中央部が垂れ下がってしまうと、引戸１０２・１０３が床面１０５と上レール１０１との間で突っ張ってしまうことになり、引戸１０２・１０３をスライドさせる際の摺動性が悪い、若しくは、摺動ができなくなってしまうという事態が生じることになる。
【０００７】
また、上記の経年変化による弊害のほか、建物施工時において、天井面の高さには施工誤差が生じるものであり、この施工誤差が大きいと、前述した経年変化による天井の垂れ下がりとあいまって、短い年月であっても引戸の摺動性に問題が生じることになる。
【０００８】
また、上記の不具合を引戸側に設けた調整機構により解消することも可能ではある。例えば、引戸の下部に戸車を設け、この戸車を上下方向に調節可能とするものであり、この調節機構についても周知の技術が数多くある。しかし、この調節機構は複雑となりがちであって、部品点数も多くなることから、耐久性の問題や、製作コストが高くなるという問題が生じることになる。また、図７に示すごとく、仮に、引戸の下部の戸車１０８・１０８を調整して、引戸１０２・１０３の上部１０６の位置を下げたとしても、今度は引戸１０２・１０３の上部１０６と上レール１０１の間に隙間１０７が生じてしまうことになり、引戸１０２・１０３の納まりに問題が生じることになる。
【０００９】
そこで、本発明は、以上の問題点に鑑み、引戸を備える間仕切構造において、施工誤差や経年変化が生じても、長期間にわたり安定した引戸の摺動性と、余剰の隙間のない納まりを実現することを可能とする新規な構造を提案するものである。
【課題を解決するための手段】
【００１０】
本発明の解決しようとする課題は以上の如くであり、次にこの課題を解決するための手段を説明する。
【００１１】
即ち、請求項１に記載のごとく、
室内の天面を構成する部材に対して固定される第一枠体と、
前記第一枠体に対して上下方向の固定位置を調整可能に取付けられる第二枠体と、
を具備し、
前記第二枠体に対して、引戸の被ガイド部が案内される構成とするものである。
【００１２】
また、請求項２に記載のごとく、
前記第二枠体を前記第一枠体に固定するための複数の固着具の各操作箇所は、
引戸用の上レールの見込方向において同一の側に配置される、構成とするものである。
【００１３】
また、請求項３に記載のごとく、
前記複数の固着具は、引戸用の上レールの長手方向において略同一の位置に配置される、
構成とするものである。
【００１４】
また、請求項４に記載のごとく、
前記第一枠体には、
前記第二枠体を前記第一枠体に固定するための固着具を外部から隠すための遮蔽部材が設けられる、構成とするものである。
【００１５】
また、請求項５に記載のごとく、
前記固着具による固定を緩めた状態で、
前記第二枠体が前記固着具を介して前記第一枠体に吊設される構成とするものである。
【００１６】
また、請求項６に記載のごとく、
引戸用の上レールと、前記引戸用の上レールによって案内される引戸を有する、間仕切構造とするものである。
【発明の効果】
【００１７】
本発明の効果として、以下に示すような効果を奏する。
【００１８】
即ち、請求項１に記載の発明においては、
第二枠体の第一枠体に対する調整代が確保されることになり、必要に応じて、第二枠体の上下方向の固定位置を調整することが可能となる。そして、これにより、上レールについて、施工誤差や撓みなどの経年変化が生じても、第二枠体の上下方向の固定位置を調整することによって、長期間にわたり安定した引戸の摺動性と、余剰の隙間のない納まりを実現することが可能となる。
【００１９】
また、請求項２に記載の発明においては、
上レールの片側から複数の固着具の作業を行うことができ、作業性を良好なものとすることが可能となる。
【００２０】
また、請求項３に記載の発明においては、
上レールの長手方向において移動をすることなく、複数の固着具を操作することが可能となり、脚立の移動や体勢の変更が不要となるため、作業性を良好なものとすることができる。
【００２１】
また、請求項４に記載の発明においては、
固着具が外観に現れて煩雑な印象が与えられるといった不具合が生じない。
【００２２】
また、請求項５に記載の発明においては、
固着具を緩めた場合においても、第二枠体が第一枠体から脱落して下方に落下することがなく、また、第二枠体の調整作業時においては、第二枠体の落下を気にすることなく作業を行えることから、作業者の手が自由になるなど、作業性の向上を図ることができる。
【００２３】
また、請求項６に記載の発明においては、
長期間にわたり安定した引戸の摺動性と、余剰の隙間のない納まりを実現することが可能となる。
【発明を実施するための最良の形態】
【００２４】
次に、発明の実施の形態を説明する。
図１及び図２に示す例では、一枚の引戸１を紙面左右方向にスライドさせる構成の間仕切構造２とするものであり、引戸１を閉めた状態においては引戸１と平行する壁３の表面が現れ、引戸１を開いた状態では、前記壁３に対して引戸１が対向して配置され、開口部４が開放されるようになっている。なお、引戸１の実施形態としては、透明のアクリル板をアルミ枠で囲んで構成されるものや、木製のパネルなど、多くの実施形態が適用可能である。
【００２５】
また、図１及び図２に示すごとく、室内の天面５には、引戸１のスライドを案内するための上レール６が付設されている。この上レール６は、開口部４及び壁３の天面５に対して固定され、この上レール６内において、引戸１の上部に設けた被ガイド部１１が摺動自在に設けられる構成としている。また、床面７には、下レール８が埋設された構成となっており、この下レール８に対し、引戸１の下部に設けた戸車１２・１２が載せられる構成としている。以上の構成により、引戸１が開口部４の位置と壁３の位置とでスライドして移動することができるようになっている。なお、前記戸車１２・１２には、引戸１の上下位置を調整するための高さ調整機構を設けてもよい。
【００２６】
図３は、図２に示される上レール６の拡大図である。
この図３に示すごとく、上レール６は、天面５に対して固着具８１にて固定される取付固定部６１を有する第一枠体６０と、この第一枠体６０に対して上下方向の固定位置を調整可能に取付けられる第二枠体７０とを具備し、第二枠体７０に対して、引戸１の被ガイド部１１が摺動自在に案内される構成とするものである。
【００２７】
以下詳述すると、図３に示す例では、第一枠体６０は、スペーサー材１０を介して野縁９に固定されている。また、この第一枠体６０は、紙面と直交する方向に長い長尺部材であって、スペーサー材１０の天面５に対する取付固定部６１と、該取付固定部６１の見込方向の両端部よりそれぞれ下方に垂設される第一縦面構成部６２（図において左側）、第二縦面構成部６３（図において右側）を有し、これらの取付固定部６１、第一縦面構成部６２、第二縦面構成部６３によって下方が開口される略コ字状の枠部材として構成されている。なお、第一枠体６０は、本例のようにスペーサー材１０（野縁９）の天面５に固定されるほか、天井仕上げ材の天面など、室内の天面を構成する部材に対して固定されることが想定される。
【００２８】
また、図３に示すごとく、第一枠体６０の中に、第二枠体７０が収容される。この第二枠体７０は、紙面と直交する方向に長い長尺部材であって、第一枠体６０の取付固定部６１に対向する面を形成する平面部７１と、該平面部７１の見込方向の両端部よりそれぞれ下方に垂設される第一取付部７２（図において左側）、第二取付部７３（図において右側）を有している。また、この第一取付部７２、第二取付部７３には、それぞれ、第二枠体７０の見込方向中心に向かって、下面構成部７２ａ・７３ａが突設されている。さらに、この下面構成部７２ａ・７３ａの突端においては、縦面部７２ｂ・７３ｂが下方に向けて突設されており、この縦面部７２ｂ・７３ｂには、それぞれ、第二枠体７０の見込方向中心に向かって、突条係止部７２ｃ・７３ｃが突設されている。
【００２９】
そして、図３に示すごとく、突条係止部７２ｃ・７３ｃの間の空間にてレール溝７４を構成し、このレール溝７４に対し、引戸１側に固定される被ガイド部１１が挿入され、レール溝７４に沿って被ガイド部１１が案内される構成としている。なお、この被ガイド部１１は、突条係止部７２ｃ・７３ｃに摺接する円筒状の胴部１１ａと、該胴部１１ａよりも径が大きく構成され、レール溝７４よりも幅が広く構成される円筒状の頭部１１ｂとを有しており、頭部１１ｂが突条係止部７２ｃ・７３ｃよりも上方に配置されて、被ガイド部１１がレール溝７４の下方に外れようとした際には、頭部１１ｂが突条係止部７２ｃ・７３ｃに係止されることで、被ガイド部１１のレール溝７４からの脱落が防がれるようになっている。この構成により、例えば、引戸１の下部に物が衝突するなどして、戸車１２・１２（図１参照）が外れた場合でも、被ガイド部１１がレール溝７４から脱落しないため、引戸１の転倒が防止できることになる。
【００３０】
また、図３に示すごとく、第一枠体６０に対する第二枠体７０の固定に関し、第一枠体６０の第一縦面構成部６２の内側面６２ｕ（第一枠体６０の見込方向中心側）には、第二枠体７０の第一取付部７２と対向する固定部６２ａが設けられており、この固定部６２ａに第一取付部７２の外側面７２ｓを当着させた状態とし、第一取付部７２の貫通孔７２ｈを介して固着具８２を固定部６２ａに設けた係合孔６２ｋに固着することで、第一取付部７２が固定部６２ａに対して固定されるようになっている。また、固定部６２ａと第一縦面構成部６２の間には、固着具８２のビス軸８２ａを収容するための収容部６２ｃが構成され、これにより、第一縦面構成部６２の外側面６２ｓ側には、固着具８２が現れないようになっている。
【００３１】
また、図３に示すごとく、第一縦面構成部６２において、前記固定部６２ａの上方には、第一取付部７２に当接させるための突起部６２ｂが設けられており、第一縦面構成部６２からの見込方向における突起部６２ｂと固定部６２ａの突出量を略同一とすることで、固定部６２ａに第一取付部７２が固定された際には、この第一取付部７２が略垂直に配置されるようになっている。
【００３２】
また、図３に示すごとく、同じく第一枠体６０に対する第二枠体７０の固定に関し、第一枠体６０の第二縦面構成部６３の内側面６３ｕに、第二枠体７０の第二取付部７３の外側面７３ｓを当着させた状態とし、第二縦面構成部６３の貫通孔６３ｈを介して固着具８３を第二取付部７３の係合孔７３ｋに固着することで、第二取付部７３が第二縦面構成部６３に対して固定されるようになっている。ここで、第二取付部７３は第二縦面構成部６３に当着されるため、この第二取付部７３は略垂直に配置されるようになっている。
【００３３】
以上のようにして、図３に示すごとく、第一取付部７２が第一縦面構成部６２に固定され、第二取付部７３が第二縦面構成部６３に固定されることで、第二枠体７０が第一枠体６０に対して固定される。
【００３４】
さらに、図３及び図４に示すごとく、第二枠体７０の第一取付部７２において、固着具８２が挿入される貫通孔７２ｈは、固着具８２に対する上下方向の相対位置が変更可能となるように、上下方向に長く構成されている。本実施例では、固着具８２をビスとし、貫通孔７２ｈはビス軸８２ａの径よりも上下方向に長い長孔形状としている。
【００３５】
また、図３及び図４に示すごとく、第一枠体６０の第二縦面構成部６３において、固着具８３が挿入される貫通孔６３ｈは、固着具８３に対する上下方向の相対位置が変更可能となるように、上下方向に長く構成されている。本実施例では、固着具８３をビスとし、貫通孔６３ｈはビス軸８３ａの径よりも上下方向に長い長孔形状としている。
【００３６】
以上のようにして、図５に示すごとく、第一枠体６０に対する第二枠体７０の上下方向の固定位置を調整できるようになっている。左の図の例では、第二枠体７０を第一枠体６０に対して最も低い位置に配置した状態を示すものであり、右の図の例では、第二枠体７０を第一枠体６０に対して最も高い位置に配置した状態を示すものである。このように、第二枠体７０の第一枠体６０に対する調整代Ｄが確保されることになり、必要に応じて、第二枠体７０の上下方向の固定位置を調整することが可能となっている。
【００３７】
また、図５に示すように、第二枠体７０の上下方向の固定位置を調整する際には、図４に示すごとく、前記固着具８２・８３と長孔形状の貫通孔６３ｈ・７２ｈの組み合わせにより、前記固着具８２・８３による固定を緩めた状態で、前記第二枠体７０が前記固着具８２・８３を介して前記第一枠体６０に吊設されることとすることができる。これにより、固着具８２・８３を緩めた場合においても、第二枠体７０が第一枠体６０から脱落して下方に落下することがなく、また、第二枠体７０の調整作業時においては、第二枠体７０の落下を気にすることなく作業を行えることから、作業者の手が自由になるなど、作業性の向上を図ることができる。
【００３８】
また、図３及び図４に示すごとく、第二枠体７０を第一枠体６０に固定するための固着具８２・８３について、固着具８２・８３の操作箇所となるビス頭８２ｂ・８３ｂが、上レール６の見込方向において同一の側（右側）に配置されることとなっている。これにより、上レール６の見込方向の一側（片側）から固着具８２・８３の操作を行うことができるようになる。この固着具８２・８３の操作に関し、特に、上レール６は、室内の天面５に取り付けられ、脚立などを利用した高所での作業となるため、このように上レール６の片側から複数の固着具８２・８３の操作を行うことができることとなれば、脚立の移動や体勢の変更をする必要がなくなり、作業性を良好なものとすることが可能となる。
【００３９】
また、図３及び図４に示すごとく、前記複数の固着具８２・８３は、前記上レール６の長手方向において略同一の位置に配置されることとしている。即ち、上レール６の長手方向における複数の固着具８２・８３の位置を略同一の位置とするとともに、上レール６の上下方向における複数の固着具８２・８３の位置をずらして配置することとして、上レール６の長手方向における複数の固着具８２・８３の各操作箇所（ビス頭８２ｂ・８３ｂ）が略同一の位置とされることとなっている。これにより、作業時においては、上レール６の長手方向において移動をすることなく、複数の固着具８２・８３を操作することが可能となる。本実施例では、上レール６の長手方向において、同一の箇所に二つの固着具８２・８３が配置されるため、脚立の移動や体勢の変更をせずに、二つの固着具８２・８３の操作が可能となって、作業性を良好なものとすることができる。なお、この構成は、上レール６の長手方向の寸法が大きく、長手方向の複数箇所に、図４に示す固着具８２・８３の組が配置される構成においては、特に優れた効果を発揮することになる。
【００４０】
そして、本実施例では、図３及び図４に示すごとく、第一枠体６０の取付固定部６１からの第二縦面構成部６３の上下寸法を、第一縦面構成部６２の上下寸法よりも短く構成し、第二縦面構成部６３に配置される固着具８３が、第一縦面構成部６２に配置される固着具８２よりも上方に配置されることとし、これにより、図４に示すごとく、第二縦面構成部６３の側から臨んだ際には、固着具８３の下方に固着具８２が現れる。このような構成により、固着具８２・８３を上レール６の長手方向の同一位置において、操作することが可能となる。
【００４１】
また、図３に示すごとく、前記第一枠体６０には、固着具８２・８３を外部から隠すための遮蔽部材９０が設けられる。本実施例では、第一枠体６０において、取付固定部６１と第二縦面構成部６３から構成される隅部６４に、断面視略Ｃ字状の係合筒部６５を設け、この係合筒部６５の外周面に対して、板状の遮蔽部材９０の同じく断面視略Ｃ字状の係合筒部９１の内周面を回動自在に係合させることにより、遮蔽部材９０が第一枠体６０の隅部６４において回動自在に支持される構成としている。また、第二縦面構成部６３の下端部には、遮蔽部材９０側に向かって係合部６３ｋが突設されるとともに、遮蔽部材９０の上下中途部には、この係合部６３ｋと係合させるための係合部９０ｋが設けられている。そして、遮蔽部材９０を閉じた際には、係合部６３ｋ・９０ｋ同士が係合し合うことにより、遮蔽部材９０が第一枠体６０に対して係合固定されることになる。
【００４２】
以上の構成において、引戸の施工が完了した通常時においては、図３に示すごとく、遮蔽部材９０が閉じられて、この遮蔽部材９０の外側面９０ｓによって内側の固着具８２・８３が遮蔽されるとともに、遮蔽部材９０の外側面９０ｓによって外観が構成される。これにより、固着具８２・８３が外観に現れて煩雑な印象が与えられるといった不具合が生じることがない。また、この遮蔽部材９０の外側面９０ｓは、第一縦面構成部６２の外側面６２ｓと同様の表面仕様とするとともに、遮蔽部材９０が閉じた際の下端部９０ｘの位置が、第一縦面構成部６２の下端部６２ｘの位置と同一となるように設計されることにより、上レール６を遮蔽部材９０の側から見たときと、第一縦面構成部６２の側から見たときにおいて、同一の意匠が構成されることになり、デザインの統一感を得ることができる。
【００４３】
一方、引戸の施工時や、施工後に必要が生じた場合における、第二枠体７０の調整作業の際には、図３に示すごとく、遮蔽部材９０を回動させて開くことにより、固着具８２・８３を出現させることができ、固着具８２・８３を操作することで第一枠体６０の上下方向の固定位置を調整することが可能となる。
【００４４】
なお、図３に示すごとく、遮蔽部材９０の回動機構については、前述のごとく、係合筒部６５・９１同士の係合によって構成されるものであり、別途蝶番を設ける必要がない点で、部品点数の削減と、コスト削減が図れるものとなっている。また、遮蔽部材９０が閉じた際において、係合筒部９１の上部に配置されるＣ字断面の端部は、下方に突出される係合部９１ａを構成しており、この係合部９１ａが係合筒部６５の上側端部６５ａと係合することにより、係合筒部９１が係合筒部６５から脱落しないようになっている。
【００４５】
また、図５の左側の状態に示すごとく、本実施例では、第二枠体７０を最下位置に調整した際において、第二枠体７０の第一取付部７２の下端部７２ｘが、第一縦面構成部６２の下端部６２ｘよりも下方に配置され、外部に現れてしまう構成となっているが、第一取付部７２の上下寸法などを変更することによって、第一縦面構成部６２の下端部６２ｘよりも第一取付部７２の下端部７２ｘが上方に配置されることとして、第一取付部７２の下端部７２ｘが第一縦面構成部６２の下端部６２ｘにて隠される構成としてもよい。
【００４６】
以上の例のようにして、本発明の実施がなされるものである。
即ち、図３に示すごとく、室内の天面を構成する部材（スペーサー材１０）に対して固定される第一枠体６０と、前記第一枠体６０に対して上下方向の固定位置を調整可能に取付けられる第二枠体７０とを具備し、第二枠体７０に対して、引戸１の被ガイド部１１が案内される構成とするものである。
【００４７】
このようにして、図５に示すごとく、第二枠体７０の第一枠体６０に対する調整代Ｄが確保されることになり、必要に応じて、第二枠体７０の上下方向の固定位置を調整することが可能となる。そして、これにより、上レール６について、施工誤差や撓みなどの経年変化が生じても、第二枠体７０の上下方向の固定位置を調整することによって、長期間にわたり安定した引戸の摺動性と、余剰の隙間のない納まりを実現することが可能となる。
【００４８】
また、以上の例では、一枚の引戸１を具備する間仕切構造について説明をしたが、図６（ａ）（ｂ）に示すごとく、二枚、三枚の引戸１・１をそれぞれ具備する間仕切構造２Ａ・２Ｂについても、以上の構成と同様の上レール６Ａ・６Ｂを適用することが可能である。
【産業上の利用可能性】
【００４９】
本発明の構造は、スライドする引戸の上部を案内するため上レールの構造について幅広く適用可能であり、室内空間を間仕切る間仕切構造に適用する他、例えば、玄関ドアなどの室外空間と室内空間を間仕切る建具についての間仕切構造といったものについても、幅広く適用可能である。
【図面の簡単な説明】
【００５０】
【図１】実施例にかかる間仕切構造について示す図。
【図２】図１のＡ−Ａ線断面図。
【図３】上レールの構造について示す断面図。
【図４】上レールの構造について示す正面図。
【図５】第二枠体の上下位置の調整について示す図。
【図６】（ａ）は二枚の引戸を有する間仕切構造について上レールを適用する例について示す図。（ｂ）は三枚の引戸を有する間仕切構造について上レールを適用する例について示す図。
【図７】従来の間仕切構造に関する問題点について説明する図。
【符号の説明】
【００５１】
１    引戸
２    間仕切構造
３    壁
４    開口部
５    天面
６    上レール
７    床面
８    下レール
１１  被ガイド部
１２  戸車
６０  第一枠体
７０  第二枠体
【図１】
2009221675.tif 000003
【図２】
2009221675.tif 000004
【図３】
2009221675.tif 000005
【図４】
2009221675.tif 000006
【図５】
2009221675.tif 000007
【図６】
2009221675.tif 000008
【図７】
2009221675.tif 000009